(57)【要約】【課題】  被記録用紙のセットが行い易く、かつ、スムースな送出が可能な用紙給紙装置、およびこの用紙給紙装置を備えた画像形成装置を提供することを目的とする。【解決手段】  給紙カセット６１は、当該給紙カセット６１に被記録用紙Ｐを積載する用紙セット位置と、当該給紙カセット６１に積載された被記録用紙Ｐを給紙手段６２により送出するフィード位置との間で移動自在に形成された用紙給紙装置６において、前端部規制手段８１と後端部規制手段８２は、直立状態から送出方向に傾斜状態に移行および復帰可能に形成され、前端部規制手段８１と後端部規制手段８２は、用紙セット位置では、直立状態になるとともに、フィード位置では、送出方向に傾斜する傾斜状態にされるように構成する。【選択図】  図２
2006335502.tif 000002
【特許請求の範囲】
【請求項１】
被記録用紙が積載収納される給紙カセットと、前記給紙カセット内において、前記被記録用紙の送出方向の前後に配設され、前記被記録用紙の前記送出方向の前端部および後端部と当接して当該前端部および後端部の位置を規制する前端部規制手段および後端部規制手段と、前記給紙カセットに積載された前記被記録用紙を送出する給紙手段と、を備え、前記給紙カセットは、当該給紙カセットに前記被記録用紙を積載する用紙セット位置と、当該給紙カセットに積載された前記被記録用紙を前記給紙手段により送出するフィード位置との間で移動自在に形成された用紙給紙装置において、
前記前端部規制手段と前記後端部規制手段は、直立状態から前記送出方向に傾斜状態に移行および復帰可能に形成され、前記前端部規制手段と前記後端部規制手段は、前記用紙セット位置では、直立状態になるとともに、前記フィード位置では、前記送出方向に傾斜する傾斜状態になることを特徴とする用紙給紙装置。
【請求項２】
前記前端部規制手段と前記後端部規制手段とを連結するリンク機構を更に備え、前記前端部規制手段と前記後端部規制手段とは、前記リンク機構により、連動して前記直立状態から前記傾斜状態に移行および復帰されることを特徴とする請求項１に記載の用紙給紙装置。
【請求項３】
前記給紙カセット内に配設され、前記被記録用紙を積載した状態で昇降可能なリフト部と、当該リフト部の昇降に連動して回動するカム機構と、を更に備え、前記リンク機構は、前記カム機構の回動に伴って動作されるように形成されるとともに、前記前端部規制手段と前記後端部規制手段とは、前記フィード位置において、前記カム機構の回動により、前記リンク機構を介して前記直立状態から傾斜状態に移行および復帰されることを特徴とする請求項２に記載の用紙給紙装置。
【請求項４】
前記送出方向に傾斜する分離面を有する分離部を更に備え、前記フィード位置において、前記分離部は、前記前端部規制手段が傾斜状態に移行されたとき、前記前端部が前記分離面に当接するように形成されていることを特徴とする請求項１乃至請求項３のいずれかに記載の用紙給紙装置。
【請求項５】
請求項１乃至請求項４のいずれかに記載の用紙給紙装置を備えていることを特徴とする画像形成装置。
【発明の詳細な説明】
【技術分野】
【０００１】
本発明は、複写機、プリンタ、ファクシミリ等の画像形成装置において、画像形成手段に被記録用紙を供給する用紙給紙装置、およびこの用紙給紙装置を備えた画像形成装置に関する。
【背景技術】
【０００２】
一般的に、複写機、プリンタ、ファクシミリ等の画像形成装置においては、画像形成手段で形成された画像を被記録用紙に転写するため、通常、画像形成手段に被記録用紙を供給する用紙給紙装置が装備されている。
【０００３】
このような用紙給紙装置では、被記録用紙の配設位置を規制するため、給紙カセット内において、被記録用紙の送出方向の前後および左右をガイド部材等により規制し、給紙カセットに積載された被記録用紙を給紙手段により送出（給紙）するように構成されている。このような給紙手段は、例えば、給紙カセットに収容された被記録用紙の内最上位の被記録用紙に接触し、当該被記録用紙を送出するためのピックアップロールと、送出された被記録用紙を一枚ずつさばくさばき機構（例えば、フィードロールとリタードロールとで構成）とを備えている。そして、最上位の被記録用紙面がさばき機構位置よりも下方に配置される態様では、ピックアップロールで送出された被記録用紙を、さばき機構位置へ確実に案内するために、ガイド部材をさばき機構に向けて傾斜配置するようにしたものが提案されている。
【０００４】
従来、用紙搬送装置としては、例えば、給紙カセットの被記録用紙の送出方向の前側に設けたガイド部材のガイド面を傾斜させ、送出方向の後側に、被記録用紙の端部に係合するプレイトを設けて構成する。そして、このプレイトを、直立位置と、傾斜位置とに選択自在に位置決めするようにしたものがある（例えば、特許文献１参照）。
【特許文献１】特開２００３−１９２１４７号公報
【発明の開示】
【発明が解決しようとする課題】
【０００５】
ところが、上述の特許文献１の記載のものでは、被記録用紙の送出方向の前方に位置するガイド面は、当初より傾斜しており、ユーザが被記録用紙をセットする際、被記録用紙のセット位置が分かり難く、セットし難い。また、セットが悪いと、フィード位置において、送出方向の後方に設けられたプレイトを傾斜して、被記録用紙をガイド面に押しても、充分に被記録用紙を押し切ることができず、スムースな給紙ができない等といった問題があった。
【０００６】
本発明は、上述した課題を解決するためになされたものであり、被記録用紙のセットが行い易く、かつ、スムースな送出（給紙）が可能な用紙給紙装置、およびこの用紙給紙装置を備えた画像形成装置を提供することを目的とする。
【課題を解決するための手段】
【０００７】
上記目的を達成するために、本発明では、被記録用紙が積載収納される給紙カセットと、給紙カセット内において、被記録用紙の送出方向の前後に配設され、被記録用紙の送出方向の前端部および後端部と当接して当該前端部および後端部の位置を規制する前端部規制手段および後端部規制手段と、給紙カセットに積載された被記録用紙を送出する給紙手段と、を備え、給紙カセットは、当該給紙カセットに被記録用紙を積載する用紙セット位置と、当該給紙カセットに積載された被記録用紙を給紙手段により送出するフィード位置との間で移動自在に形成された用紙給紙装置において、前端部規制手段と後端部規制手段は、直立状態から送出方向に傾斜状態に移行および復帰可能に形成され、前端部規制手段と後端部規制手段は、用紙セット位置では、直立状態になるとともに、フィード位置では、送出方向に傾斜する傾斜状態になることを特徴とする。
【０００８】
この構成によれば、ユーザが被記録用紙をセットするセット位置では、前端部規制手段と後端部規制手段は、直立状態にあるので、セット位置が分かり易く、被記録用紙を確実かつ簡単にセットすることができる。また、セット位置において被記録用紙は、所定位置に確実にセットされているので、フィード位置において、被記録用紙は、確実に後端部規制手段により、前端部規制手段側に押さる。この結果、被記録用紙の束は、前端部規制手段と後端部規制手段とが、送出方向に傾斜されることにより、傾斜状態となり、被記録用紙は、スムースに送出（給紙）を行うことができる。
【０００９】
また、本発明においては、前端部規制手段と後端部規制手段とを連結するリンク機構を更に備え、前端部規制手段と後端部規制手段とは、リンク機構により、連動して直立状態から傾斜状態に移行および復帰されることを特徴とする。
【００１０】
この構成によれば、前端部規制手段と後端部規制手段とは、リンク機構により、連動して直立状態から傾斜状態に移行されるので、被記録用紙の束は、よりスムースに所定の傾斜状態とすることができる。
【００１１】
また、本発明においては、給紙カセット内に配設され、被記録用紙を積載した状態で昇降可能なリフト部と、当該リフト部の昇降に連動して回動するカム機構と、を更に備える。そして、リンク機構は、カム機構の回動に伴って動作されるように形成されるとともに、前端部規制手段と後端部規制手段とは、フィード位置において、カム機構の回動により、リンク機構を介して直立状態から傾斜状態に移行および復帰されることを特徴とする。
【００１２】
この構成によれば、前端部規制手段と後端部規制手段は、被記録用紙を積載したリフト部の昇降に連動してカム機構が回動し、この回動に伴ってリンク機構を介して、直立状態から傾斜状態に移行および復帰される。従って、リフト部の昇降を行う駆動源を前端部規制手段と後端部規制手段を移行および復帰するための駆動源として兼用することができ、部品点数の削減を図ることができる。
【００１３】
また、本発明においては、送出方向に傾斜する分離面を有する分離部を更に備え、フィード位置において、分離部は、前端部規制手段が傾斜状態に移行されたとき、前端部が分離面に当接するように形成されていることを特徴とする。
【００１４】
この構成によれば、被記録用紙をセットするセット位置では、傾斜した分離面を有する分離部がないのでセットがし易く、しかも、フィード位置では、被記録用紙の前端部が、分離面に当接しているので、被記録用紙の分離がし易く、よりスムースな給紙ができる。
【００１５】
更に、本発明においては、上述したいずれかの構成を有する用紙給紙装置を備えたことを特徴とする画像形成装置である。従って、この構成によれば、上述したいずれかの構成を有する用紙給紙装置と同じ作用を奏する画像形成装置を得ることができる。
【発明の効果】
【００１６】
本発明の構成によれば、被記録用紙のセットが行い易く、かつ、スムースな送出（給紙）が可能な用紙給紙装置、およびこの用紙給紙装置を備えた画像形成装置を得ることができる。
【発明を実施するための最良の形態】
【００１７】
（第１実施形態）
以下に、本発明の具体的な第１実施形態について図１を参照しながら説明する。図１は、本発明の第１実施形態に係る用紙給紙装置を用いた画像形成装置としての複写機に適用した場合の概略構成を示す概略構成図である。
【００１８】
図１に示すように、この画像形成装置である複写機１は、原稿搬送手段３と、画像読取手段２と、被記録用紙Ｐに画像を形成する画像形成手段４と、定着手段５と、被記録用紙Ｐが積載収納された後述する用紙給紙装置６と、を備えている。また、被記録用紙Ｐを画像形成手段４、定着手段５を介して排紙部７１に搬送する用紙搬送装置７が形成されている。
【００１９】
画像読取手段２は、周知の通り、原稿搬送手段３から搬送されてきた原稿が、コンタクトガラス上を通過する際、通過する原稿に、露光ランプから光を照射する。そして、反射鏡を介してその反射光をＣＣＤセンサ等からなる光電変換部に導くことにより、原稿の画像情報を流し読み取る。
【００２０】
原稿搬送手段３は、原稿を載置するための原稿載置台３１と、原稿載置台３１に積載された原稿を給紙する原稿給紙部と、給紙された原稿を画像読取手段２に搬送するための原稿給紙用搬送路と、読み終えた原稿を、排出する原稿排出部３２等を備えている。
【００２１】
用紙給紙装置６は、被記録用紙Ｐが収容された複数の給紙カセット６１を備えており、給紙手段６２の回転動作により、当該複数の給紙カセット６１のうち選択された給紙カセット６１から被記録用紙Ｐが用紙搬送装置７側に送り出されるように構成されている。この構成により、被記録用紙Ｐが１枚ずつ確実に用紙搬送装置７に給紙される。これら各給紙カセット６１は、複写機１に対し、引出し或いは着脱自在となるように構成されている。従って、当該給紙カセット６１に被記録用紙Ｐを積載する用紙セット位置と、当該給紙カセット６１に積載された被記録用紙Ｐを給紙手段６２により送出（給紙）するフィード位置との間で移動自在である。
【００２２】
用紙搬送装置７に給紙された被記録用紙Ｐは、搬送経路７２上に設けられた駆動ローラ７３と、この駆動ローラ７３対向して配設された従動ローラ７４とで挟持（把持）されつつ順次、画像形成手段４に向けて搬送される。この画像形成手段４は、電子写真プロセスによって、被記録用紙Ｐに所定のトナー像を形成するものである。例えば、所定の方向（図中の矢印方向）に回転可能に軸支された像端持体である感光体４１と、この感光体４１の周囲にその回転方向に沿って、帯電装置４２、露光装置４３、現像装置４４、転写装置４５、クリーニング装置４６、および除電装置４７を備えている。
【００２３】
帯電装置４２は、高電圧が印加される帯電ワイヤを備えており、この帯電ワイヤからのコロナ放電によって感光体４１の表面に所定電位を与えることにより、感光体４１の表面が一様に帯電させられる。そして、露光装置４３により、画像読取手段２によって読み取られた原稿の画像データに基づく光が、感光体４１に照射されることにより、感光体４１の表面電位が選択的に減衰されて、この感光体４１の表面に静電潜像が形成される。次いで、現像装置４４により、静電潜像にトナーが付着し、感光体４１の表面にトナー像が形成され、転写装置４５により、感光体４１の表面のトナー像が、感光体４１と転写装置４５との間に供給された被記録用紙Ｐに転写される。
【００２４】
トナー像が転写された被記録用紙Ｐは、画像形成手段４から定着手段５に向けて搬送される。この定着手段５は、画像形成手段４の用紙搬送方向の下流側に配置されている。画像形成手段４においてトナー像が転写された被記録用紙Ｐは、定着手段５に設けられ、回転可能に軸支された加熱ローラ５１と、加熱ローラ５１に押し付けられる加圧ローラ５２によって形成された定着ニップＮに搬送される。そして、定着ニップＮにおいて加熱・加圧され、被記録用紙Ｐ上にトナー像が定着される。次いで、画像形成手段４から定着手段５において画像形成がなされた被記録用紙Ｐは、排紙部７１上に排出される。一方、上記転写後、感光体４１の表面に残留しているトナーは、クリーニング装置４６により除去され、感光体４１の表面の残留電荷は、除電装置４７により除去される。そして、感光体４１は帯電装置４２によって再び帯電され、以下同様にして画像形成が行われることになる。
【００２５】
次に、本発明の特徴部分にかかる用紙給紙装置６の具体的構成について、図２乃至図８および上述した図１を参照しながら説明する。図２および図３は、図１に示す複写機に用いた用紙搬送装置の概略構成を示す要部断面図で、図２は、給紙カセットがフィード位置にある状態を示し、また、図３は、給紙カセットがセット位置（引出した位置）にある状態を示す。図４は、用紙給紙装置の概略構成を示す正面図、図５は、図４の平面図、図６は、図４のリンク機構を模式的に示す模式図、図７は、給紙カセットがセット位置にある状態を示す正面図である。図８は、給紙カセットがフィード位置においてリフト部が上昇するとともに、前端部規制手段および後端部規制手段が送出方向に傾斜した状態を示す正面図である。
【００２６】
図２乃至図８に示すように、用紙給紙装置６は、被記録用紙Ｐが積載収納される給紙カセット６１と、後述する前端部規制手段８１および後端部規制手段８２と、給紙カセット６１に積載された被記録用紙Ｐを上方から順に送出する給紙手段６２とから構成されている。
【００２７】
給紙カセット６１は、当該給紙カセット６１に被記録用紙Ｐを積載するために、例えば、複写機１本体から引出した状態である用紙セット位置（図３および図７参照）と、当該給紙カセット６１に積載された被記録用紙Ｐを給紙手段６２により送出するフィード位置（図２および図８参照）との間で移動自在に形成されている。
【００２８】
前端部規制手段８１は、給紙カセット６１内において、被記録用紙Ｐの送出方向Ｘの前側に配設され、被記録用紙Ｐの送出方向Ｘの前端部Ｐ１と当接して当該前端部Ｐ１の位置を規制する。また、後端部規制手段８２は、給紙カセット６１内において、被記録用紙Ｐの送出方向Ｘの後側に配設され、被記録用紙Ｐの後端部Ｐ２と当接して当該後端部Ｐ２の位置を規制する。そして、これら前端部規制手段８１と後端部規制手段８２は、直立状態から送出方向に傾斜状態に移行および復帰可能に形成されている。そして、前端部規制手段８１と後端部規制手段８２は、用紙セット位置では、図３および図７に示すように、直立状態にされる。また、フィード位置では、図２および図８に示すように、送出方向Ｘに傾斜する傾斜状態にされるように構成されている。
【００２９】
具体的には、例えば、前端部規制手段８１と後端部規制手段８２は、給紙カセット６１の図示しない側板等に設けられた支点となる軸９１ａ、９２ａにより軸支されている。また、これら前端部規制手段８１と後端部規制手段８２とは、その上端部において連結具９１および連鎖用の軸９１ｂ、９２ｂにより連結されている。即ち、これら前端部規制手段８１、後端部規制手段８２、軸９１ａ、９２ａ、連結具９１および連鎖用の軸９１ｂ、９２ｂにより、リンク機構９が構成されている。
【００３０】
前端部規制手段８１と後端部規制手段８２は、セット位置（図３および図７参照）では、例えば、給紙カセット６１と前端部規制手段８１との間に配設された圧縮バネ等からなる付勢手段８３の付勢力により押圧されて直立状態となる。そして、フィード位置（図２および図８参照）では、例えば、ステッピングモータ等からなる傾斜用駆動装置８４の駆動力（回転力）により、結合部８５および駆動軸８６を介して後端部規制手段８２が送出方向Ｘに傾斜する。この後端部規制手段８２が送出方向Ｘに傾斜するのに伴って、リンク機構９が動き前端部規制手段８１も送出方向Ｘに傾斜する。即ち、リンク機構９により連結された前端部規制手段８１と後端部規制手段８２とは、付勢手段８３の付勢力に抗して略同時に軸９１ａ、９２ａを支点として回動し、送出方向に傾斜する傾斜状態に移行する。また、この傾斜状態から傾斜用駆動装置８４を逆回転させれば直立状態に復帰させることができる。或いは、結合部８５の結合を解除（例えば、給紙カセット６１を複写機１本体から引出す）すれば、付勢手段８３の付勢力により、直立状態に復帰させることができる。
【００３１】
また、給紙カセット６１内には、被記録用紙Ｐを積載した状態で昇降可能なリフト部１０が配設されている。このリフト部１０は、被記録用紙Ｐを積載する用紙リフト板１１と、この用紙リフト板１１の送出方向Ｘの前方を上昇した状態で傾斜させるリフト板１２と、このリフト板１２を駆動するステッピングモータ等からなるリフト用駆動装置１３とから構成されている。リフト用駆動装置１３の駆動力（回転力）は、結合部１４および駆動軸１５を介してリフト板１２に伝達され、リフト板１２が駆動軸１５を中心に回転する。この回転により、図６に示すように、用紙リフト板１１は、軸１６を支点として送出方向の前方が上昇した状態で傾斜する。このリフト部１０は、例えば、用紙リフト板１１に積載された被記録用紙Ｐの積載量を、給紙手段６２等に付設されたセンサ（不図示）により検知し、被記録用紙Ｐの積載量が減ると随時リフト動作を繰り返すことにより、安定した被記録用紙Ｐの送出が行える。
【００３２】
また、給紙カセット６１内には、図５に示すように、被記録用紙Ｐの左右（幅方向）を規制する幅ガイド部１７が、左右に移動自在に設けられており、この幅ガイド部１７は、ユーザが被記録用紙Ｐをセットする際、被記録用紙Ｐのサイズに応じて調整される。
【００３３】
以上の構成による本実施形態よれば、ユーザが被記録用紙Ｐをセットするセット位置では、図３および図７に示すように、前端部規制手段８１と後端部規制手段８２は、直立状態にあるの。従って、被記録用紙Ｐをセットするセット位置が分かり易く、被記録用紙Ｐを確実かつ簡単にセットすることができる。また、セット位置において被記録用紙Ｐは、所定位置に確実にセットされているので、フィード位置において、被記録用紙Ｐは、確実に後端部規制手段８２により、前端部規制手段８１側に押さる。この結果、被記録用紙Ｐの束は、前端部規制手段８１と後端部規制手段８２とが、送出方向に傾斜されることにより、傾斜状態となり、被記録用紙Ｐは、スムースに送出（給紙）を行うことができる。
【００３４】
また、前端部規制手段８１と後端部規制手段８２とは、リンク機構９により、連動して直立状態から傾斜状態に移行されるので、被記録用紙Ｐの束は、よりスムースに所定の傾斜状態とすることができる。
【００３５】
（第２実施形態）
次に、本発明の第２実施形態について図９および図１０を参照しながら説明する。図９は、本発明の第２実施形態に係る用紙給紙装置に用いる前端部規制手段と分離部との関係を示す概略構成図、図１０は、図９を側面から視た側面図である。なお、図９および図１０において、上述した図１乃至図８と同じ符号を付した部分は、略同一のものを示すため、ここでは詳細な説明は省略する。以下、上述した実施形態との相違点を中心に説明する。
【００３６】
本実施形態では、送出方向に傾斜する分離面１８ａを有する複数の分離部材１８１からなる分離部１８を用い、被記録用紙Ｐの分離性の向上を図ったものである。分離部１８は、フィード位置において、前端部規制手段８１が傾斜状態に移行されたとき（図１０において２点差線の状態）、分離面１８ａに被記録用紙Ｐの前端部Ｐ１が当接するように形成したものである。
【００３７】
具体的には、例えば、前端部規制手段８１に複数のスリット８１１を設ける。そして、前端部規制手段８１が、フィード位置において、傾斜状態に移行されたとき、分離部１８の分離面１８ａ側がスリット８１１から被記録用紙Ｐ側に突出した状態になるように、分離部１８を所定位置に配設する。また、分離面１８ａは、前端部規制手段８１が傾斜された際の傾斜角度と略同一の傾斜角度に形成する。
【００３８】
以上の構成による本実施形態よれば、被記録用紙Ｐをセットするセット位置では、前端部規制手段８１と後端部規制手段８２とは、直立状態にあり、被記録用紙Ｐをセットする領域内には、分離部１８の傾斜した分離面１８ａが存在しない。従って、被記録用紙Ｐのセットがし易い。しかも、フィード位置では、被記録用紙Ｐの前端部Ｐ１が、分離面１８ａに当接している。従って、被記録用紙Ｐの前端部Ｐ１の略全域が前端部規制手段８１に当接している場合に比べ、摩擦が少なくなり、被記録用紙Ｐの分離がし易く、よりスムースな送出ができる。
【００３９】
（第３実施形態）
次に、本発明の第３実施形態について図１１を参照しながら説明する。図１１は、本発明の第３実施形態に係る用紙給紙装置の要部を示す概略構成図である。なお、図１１において、上述した図１乃至図１０と同じ符号を付した部分は、略同一のものを示すため、ここでは詳細な説明は省略する。以下、上述した実施形態との相違点を中心に説明する。
【００４０】
本実施形態では、被記録用紙Ｐを積載した状態で昇降可能なリフト部１０の昇降に連動して回動するカム機構１９を設ける。そして、リンク機構９は、カム機構１９の回動に伴って動作されるように形成する。また、前端部規制手段８１と後端部規制手段８２とは、フィード位置において、カム機構１９の回動により、リンク機構９を介して直立状態から傾斜状態に移行および復帰されるようにしたものである。
【００４１】
具体的には、例えば、リフト用駆動装置１３により駆動（回転）される駆動軸１５に、原節となるカム１９ａを設ける。このカム１９ａのカム面に当接するように、例えば、リンク機構９の構成要素の一部をなす、前端部規制手段８１に、従節となる連結棒１９ｂを設けてカム機構１９を形成したものである。
【００４２】
以上の構成による本実施形態よれば、ユーザが被記録用紙Ｐをセットするセット位置では、前端部規制手段８１と後端部規制手段８２は、直立状態にあるので、被記録用紙Ｐをセットするセット位置が分かり易い。従って、被記録用紙Ｐを確実、かつ簡単にセットすることができる。また、セット位置において被記録用紙Ｐは、所定位置に確実にセットされているので、フィード位置において、被記録用紙Ｐは、確実に後端部規制手段８２により、前端部規制手段８１側に押さる。この結果、被記録用紙Ｐの束は、前端部規制手段８１と後端部規制手段８２とが、送出方向に傾斜されることにより、傾斜状態となり、被記録用紙Ｐは、スムースに送出を行うことができる。
【００４３】
また、前端部規制手段８１と後端部規制手段８２は、被記録用紙Ｐを積載したリフト部１０の昇降に連動してカム機構１９が回動し、この回動に伴ってリンク機構９を介して、直立状態から傾斜状態に移行および復帰される。従って、リフト部１０の昇降を行うリフト用駆動装置１３を前端部規制手段８１と後端部規制手段８２を移行および復帰するための駆動源として兼用することができ、部品点数の削減を図ることができる。
【００４４】
なお、上述した実施形態は、本発明の好適な実施形態であるが、本発明はこれに限定されるものではなく、本発明の要旨を逸脱しない範囲において、種々変形実施可能である。
例えば、上述した実施形態では、複写機を例に挙げて説明したが、本発明は、例えば、ファクシミリ装置や、コピー機能、プリンタ機能、スキャナ機能およびファクシミリ機能等の各種機能を兼ね備えた複合機等に対しても適用可能である。
【００４５】
また、上述した実施形態では、ドラム状の感光体４１を使用しているが、感光体４１の形状には限定はなく、上述したドラム状以外の公知の形状を用いることができる。例えば、シート状、ベルト状、ウェブ状等の形状が挙げられる。
【００４６】
また、上述した実施形態では、前端部規制手段８１と後端部規制手段８２とをフィード位置で、直立状態から傾斜状態に移行させるのに、傾斜用駆動装置８４を用いたが、この傾斜用駆動装置８４を省略することもできる。例えば、給紙カセット６１に被記録用紙Ｐをセット後、給紙カセット６１を複写機１本体に装着したときに、本体内に設けられた突起等に当接するカム機構を設ける。そして、給紙カセット６１を複写機１本体に装着する際に、カム機構により、上述したリンク機構９を動かして、前端部規制手段８１と後端部規制手段８２とを直立状態から傾斜状態に移行させるようにしても良い。
【産業上の利用可能性】
【００４７】
本発明の活用例としては、被記録用紙を積載し、当該被記録用紙を送出する用紙給紙装置を備えた画像形成装置が挙げられる。
【図面の簡単な説明】
【００４８】
【図１】本発明の第１実施形態に係る用紙給紙装置を用いた画像形成装置としての複写機に適用した場合の概略構成を示す概略構成図である。
【図２】図１に示す複写機に用いた用紙搬送装置の概略構成を示す要部断面図で、給紙カセットがフィード位置にある状態を示す。
【図３】図１に示す複写機に用いた用紙搬送装置の概略構成を示す要部断面図で、給紙カセットがセット位置（引出した位置）にある状態を示す。
【図４】用紙給紙装置の概略構成を示す概略構成図である。
【図５】図４の平面図である。
【図６】図４のリンク機構を模式的に示す模式図である。
【図７】給紙カセットがセット位置にある状態を示す概略構成図である。
【図８】給紙カセットがフィード位置においてリフト部が上昇するとともに、前端部規制手段および記後端部規制手段が送出方向に傾斜した状態を示す概略構成図である。
【図９】本発明の第２実施形態に係る用紙給紙装置に用いる前端部規制手段と分離部との関係を示す概略構成図である。
【図１０】図９を側面から視た側面図である。
【図１１】本発明の第３実施形態に係る用紙給紙装置の要部を示す概略構成図である。
【符号の説明】
【００４９】
Ｐ…被記録用紙、Ｐ１…前端部、Ｐ２…後端部、Ｘ…送出方向、１…複写機（画像形成装置）、６…用紙給紙装置、９…リンク機構、１０…リフト部、１８…分離部、１８ａ…分離面、１９…カム機構、６１…給紙カセット、６２…給紙手段、８１…前端部規制手段、８２…後端部規制手段
【図１】
2006335502.tif 000003
【図２】
2006335502.tif 000004
【図３】
2006335502.tif 000005
【図４】
2006335502.tif 000006
【図５】
2006335502.tif 000007
【図６】
2006335502.tif 000008
【図７】
2006335502.tif 000009
【図８】
2006335502.tif 000010
【図９】
2006335502.tif 000011
【図１０】
2006335502.tif 000012
【図１１】
2006335502.tif 000013